(57)【要約】【課題】テーブルにテーブルクロスを覆い被せる作業を、誰でも簡単かつ綺麗に行なうことができる、ガイド付きテーブルクロスを提供する。【解決手段】テーブルに覆い被せたときに、テーブルの天板の縁に当たる折り目となる付近に目印となるガイド機能Ｐ１を設けることによって、テーブルクロスの位置を素早く決めることができる。また、面ファスナーの雄部ａ１１０、ａ２１０と雌部ｂ１１０、ｂ２１０を付けることにより適切な位置が決まるとともに、テーブルクロスを留めることができ、作業効率をあげることができる。【選択図】図１
2014004182.tif 000002
【特許請求の範囲】
【請求項１】
テーブルに覆い被せたときに、折り目付近に目印となるものを設けることを特徴とするガイド付きテーブルクロス。
【請求項２】
テーブルに覆い被せたときに、テーブルの天板の縁に当たる折り目付近に布地テープを設けた、請求項１のガイド付きテーブルクロス。
【請求項３】
テーブルに覆い被せたときに、テーブルの天板の縁に当たる折り目付近にプリントされた、請求項１のガイド付きテーブルクロス。
【請求項４】
テーブルに覆い被せたときに、テーブルの天板の縁に当たる折り目付近に縫製や刺繍、折り柄を施した、請求項１のガイド付きテーブルクロス。
【発明の詳細な説明】
【技術分野】
【０００１】
本発明は、テーブルにテーブルクロスを覆い被せる位置を容易に決めるためのガイド機能を設けたテーブルクロスに関するものである。
【背景技術】
【０００２】
従来、テーブルクロスは布地の周りを縫製や加工しただけの平物と、特許文献１及び特許文献２に示されるようにテーブルサイズに合わせて作られた立体型のものが一般的である。
【先行技術文献】
【特許文献】
【０００３】
【特許文献１】特開２００９−１０１００５号公報
【特許文献２】実登３１７２３４４号公報
【発明の概要】
【発明が解決しようとする課題】
【０００４】
平物のテーブルクロスは、洗濯が容易でクリーニングのコストも安いという長所がある。しかしながら、テーブルに覆い被せるとき、テーブルクロス自体に目印となるガイド機能が無い為、勘に頼らざるを得ず、テーブルクロスを覆い被せる人によって、作業時間と施工後のテーブルクロスの仕上がりに大きな差が生じるという問題点がある。
【０００５】
テーブルサイズに合わせて作られた立体型のテーブルクロスは、テーブルに覆い被せるとき、誰でも短時間で容易にできるという長所がある。しかしながら、立体型に作られている為、平物のテーブルクロスに比べ、クリーニングのコストが割高になるという問題点がある。
【課題を解決するための手段】
【０００６】
そこで、本発明に係るテーブルクロスは、立体型のテーブルクロスに比べ、クリーニングコストが安い平物のテーブルクロスにおいて、テーブルに覆い被せる位置が簡単に決まるためのガイド機能を設けることを特徴とする。
【発明の効果】
【０００７】
本発明のテーブルクロスは、誰でも簡単かつ綺麗にテーブルに覆い被せることが可能になる。
【図面の簡単な説明】
【０００８】
【図１】本発明の実施例１に係るガイド付きテーブルクロスをテーブルに覆い被した状態を後方斜め右上より見た斜視図である。
【図２】本発明の実施例１に係るガイド付きテーブルクロスを示す正面図である。
【図３】本発明の実施例１に係るガイド付きテーブルクロスを示す背面図である。
【図４】本発明の実施例２に係るガイド付きテーブルクロスをテーブルに覆い被した状態を斜め上より見た斜視図である。
【図５】本発明の実施例２に係るガイド付きテーブルクロスを示す背面図である。
【発明を実施するための形態】
【０００９】
以下、本発明のテーブルクロスの実施例について、図面に基づき説明する。
【実施例１】
【００１０】
図１は実施例１に係るテーブルクロスをテーブルに覆い被した状態を後方斜め右上より見た斜視図であり、図２は実施例１に係るテーブルクロスを示す正面図であり、図３は実施例１に係るテーブルクロスを示す背面図である。
【００１１】
図１は、テーブルクロスＸをテーブルＡに覆い被せた状態である。Ａ１はテーブルＡの天板、Ａ２は前部の天板の辺、Ａ３は側部の天板の辺、Ａ４は後部の天板の辺を、Ｘ１はテーブルクロスＸの天板覆い部、Ｘ２は正面垂下部、Ｘ３は側面垂下部、Ｘ４は背面垂下部をそれぞれ示す。Ｐ１、Ｐ２、Ｐ３は前部、側部、後部それぞれのガイド機能の布地テープを示す。ａ１１０、ａ２１０は面ファスナー雄部、ｂ１１０、ｂ２１０は面ファスナー雌部を示す。
【００１２】
図２において、ａ１１０、ａ１２０、ａ２１０、ａ２２０はそれぞれ面ファスナー雄部を示し、ｂ１０１、ｂ１１０、ｂ１２０、ｂ２０１、ｂ２１０、ｂ２２０はそれぞれ面ファスナー雌部を示す。
【００１３】
図３において、テーブルクロスＸは、天板覆い部Ｘ１と正面垂下部Ｘ２の境界である折り目付近に前部ガイドとなる布地テープＰ１、天板覆い部Ｘ１と側面垂下部Ｘ３の折り目付近に側部ガイドとなる布地テープＰ２、天板覆い部Ｘ１と後部垂下部Ｘ４の折り目付近に後部ガイドとなる布地テープＰ３がそれぞれ取り付けられている。面ファスナー雄部ａ１００と面ファスナー雌部ｂ１００、面ファスナー雄部ａ２００と面ファスナー雌部ｂ２００を接合することにより、テーブルクロスＸより突出した面ファスナー雄部ａ１１０、ａ２１０の部分を収納することができる。
【００１４】
テーブルクロスＸをテーブルＡに覆い被せる作業として、前部ガイドとなる布地テープＰ１が、テーブルＡ前部の天板の辺Ａ２に当たり、次に側部ガイドとなる布地テープＰ２が側部の天板の辺Ａ３に、後部ガイドとなる布地テープＰ３が後部の天板の辺Ａ４に当たり、天板覆い部Ｘ１の位置が固定する。次に面ファスナー雄部ａ１００と面ファスナー雌部ｂ１０１、面ファスナー雄部ａ２００と面ファスナー雌部ｂ２０１を接合、面ファスナー雄部ａ１２０と面ファスナー雌部ｂ１２０、面ファスナー雄部ａ２２０と面ファスナー雌部ｂ２２０を接合、最後に面ファスナー雄部ａ１１０と面ファスナー雌部ｂ１１０、面ファスナー雄部ａ２１０と面ファスナー雌部ｂ２１０を接合して留めることにより、自ずと位置が決まり、誰でも短時間で簡単かつ綺麗に図１の状態にテーブルクロスＸを覆い被せることができる。
【実施例２】
【００１５】
図４は実施例２に係るテーブルクロスをテーブルに覆い被した状態を斜め上より見た斜視図であり、図５は実施例２に係るテーブルクロスを示す背面図である。
【００１６】
図４は、テーブルクロスＹをテーブルＢに覆い被せた状態である。天板覆い部Ｙ１は天板Ｂ１に覆い、垂下部Ｙ２は天板の辺Ｂ２を境に垂下している部分である。
【００１７】
テーブルクロスＹは、図５に示すように、垂下部Ｙ２に天板覆い部Ｙ１との境界である折り目付近にガイドとなる布地テープＱが設けられている。
【００１８】
テーブルクロスＹをテーブルＢに覆い被せる作業で、図５のガイドとなる布地テープＱが、図４の天板の辺Ｂ２に当たり、図４の状態にするための位置を導くことにより、誰でも短時間で簡単に設置することができる。
【符号の説明】
【００１９】
Ｘ  ：テーブルクロス
Ｘ１：天板覆い部
Ｘ２：正面垂下部
Ｘ３：側面垂下部
Ｘ４：背面垂下部
Ａ  ：テーブル
Ａ１：天板
Ａ２：天板の辺（前部）
Ａ３：天板の辺（側部）
Ａ４：天板の辺（後部）
Ｐ１：布地テープ（前部ガイド）
Ｐ２：布地テープ（側部ガイド）
Ｐ３：布地テープ（後部ガイド）
ａ１００、ａ１１０、ａ１２０：面ファスナー雄部（左側部）
ａ２００、ａ２１０、ａ２２０：面ファスナー雄部（右側部）
ｂ１００、ｂ１０１、ｂ１１０、ｂ１２０：面ファスナー雌部（左側部）
ｂ２００、ｂ２０１、ｂ２１０、ｂ２２０：面ファスナー雌部（右側部）
Ｙ  ：テーブルクロス
Ｙ１：天板覆い部
Ｙ２：垂下部
Ｂ  ：テーブル
Ｂ１：天板
Ｂ２：天板の辺
Ｑ  ：布地テープ（ガイド）
【図１】
2014004182.tif 000003
【図２】
2014004182.tif 000004
【図３】
2014004182.tif 000005
【図４】
2014004182.tif 000006
【図５】
2014004182.tif 000007